(57)【要約】【課題】パソコンから離れた場所でも、プリンタの印字速度を調整できるようにする（静音化、振動防止）記録装置の提供。【解決手段】プリンタ本体外観部に印字スピード調整ダイヤルを設け、ダイヤルを回転せしめることにより、印字スピードを遅くしたり早くしたりする。印字スピードを変えるタイミングは１行毎のキャリッジスキャン印字時とした。さらに、スイッチ動作により記録ヘッドからのインク吐出を作動／停止させる構成とし、記録紙に実際に印字しなくても印字スピードを確認できるようにした。【選択図】        図１
2004155032.tif 000002
【特許請求の範囲】
【請求項１】
シートに画像を形成する画像形成手段と、シートを挟持搬送する一対の搬送手段を備えた記録装置において、装置本体の外部に調整ダイヤルあるいはスライドレバーによる印字スピード調整手段を設けたことを特徴とする記録装置。
【請求項２】
前記調整手段の変位量に応じて、キャリアモータの回転数を変化せしめようにしたことを特徴とする請求項１記載の記録装置。
【請求項３】
特定のタイミングで前記調整手段の変化量を検知し、前記キャリアモータの回転変化切り替えを行うようにせしめたことを特徴とする請求項１記載の記録装置。
【請求項４】
スイッチ動作により、インクの吐出を停止せしめキャリッジを移動させるようにしたことを特徴とする請求項１記載の記録装置。
【発明の詳細な説明】
【０００１】
【発明の属する技術分野】
本発明は、プリンタ、複写機、ワープロ、パーソナルコンピュータ（パソコン）、ファクシミリ等の記録装置に関し、更には、種々の記録媒体に対応可能な記録装置に関するものである。
【０００２】
【従来の技術】
この種の記録装置で、印字スピードを変化させる手段としてはパソコン等の画面を見ながら、アイコンをオペレータが選択式にクリックするのが常であった。また、記録装置に設けられたボタンを押下することにより、印字スピードを調整するものもあった。
【０００３】
【発明が解決しようとする課題】
上記従来例では、アイコンあるいはボタンは段階的に複数個設けられているので（例えば、低速、高速など）、選択した印字スピードもオペレータの意図と合致しないスピードで印字される場合が少なくなかった。すなわち印字スピードの調整をしたが、
▲１▼自分の思っていた速さより早く印字してしまい、印字音や振動が想像以上である。
【０００４】
▲２▼特にパソコンと記録装置が離れて設置された場合、▲１▼のように実際の印字スピード等が自分の思っているものと合致しない場合、オペレータはパソコンの設置されている所まで戻り、パソコンの画面をみて印字スピードの設定を修正しなければならない。
【０００５】
▲３▼印字スピードの選択肢が段階的であり、かつ設定数が少ないためオペレータの要望する印字スピードを正確に実現するのが難しい。
等の問題点があった。
【０００６】
本発明は、以上の点に着目して成されたもので、パソコンから離れた場所でも、プリンタの印字速度を調整できるようにする（静音化、振動防止）記録装置を提供することを目的とする。
【０００７】
【課題を解決するための手段】
上記問題点を解決するために、本実施例においては記録装置にスピード調整手段を設け、該スピード調整手段の変化量に対応し印字スピードを変化せしめるようにした。さらに、スイッチのＯＮ／ＯＦＦにより記録ヘッドからのインク吐出を作動／停止させる手段を設けた。
【０００８】
すなわち、本発明の技術内容は以下の構成を備えることにより前記課題を解決できた。
【０００９】
（１）シートに画像を形成する画像形成手段と、シートを挟持搬送する一対の搬送手段を備えた記録装置において、装置本体の外部に調整ダイヤルあるいはスライドレバーによる印字スピード調整手段を設けたことを特徴とする記録装置。
【００１０】
（２）前記調整手段の変位量に応じて、キャリアモータの回転数を変化せしめようにしたことを特徴とする前記（１）記載の記録装置。
【００１１】
（３）特定のタイミングで前記調整手段の変化量を検知し、前記キャリアモータの回転変化切り替えを行うようにせしめたことを特徴とする前記（１）記載の記録装置。
【００１２】
（４）スイッチ動作により、インクの吐出を停止せしめキャリッジを移動させるようにしたことを特徴とする前記（１）記載の記録装置。
【００１３】
【発明の実施の形態】
【００１４】
【第１実施例】
図１にインジェット記録方式を用いた記録装置の概略構成を示す。
【００１５】
図１において、この実施形態におけるプリンタの外殻をなす本体は、上ケース２、下ケース３、アクセスカバー４及び排紙トレイ５の外装部と、外装部材内に収納されたシャーシ（不図示）とから構成される。
【００１６】
前記シャーシは所定の剛性を有する複数の板状金属部材によって構成され、記録装置の骨格をなし、各記録動作機構を保持するものとなっている。
【００１７】
また、前記上ケース２は装置本体の略上半部を、下ケース３は装置本体の下半部をそれぞれ形成しており、両ケースの組合せによって内部に各機構を収納する収納空間を有する中空体構造をなし、その上面部及び前面部にはそれぞれ開口部が形成される。
【００１８】
さらに、前記排紙トレイ５はその一端部が下ケース３に回転自在に保持され、その回転によって下ケース３の前面部に形成される前記開口部を開閉させ得るようになっている。このため、記録動作を実行させる際には、排紙トレイ５を前面側へと回転させて開口部を開成させることにより、ここから記録シートが排出可能となると共に排出された記録シートを順次積載し得るようになっている。また、排紙トレイ５には２枚の補助トレイ６、７が収納されており、必要に応じて各トレイを引出すこととにより、記録シートの支持面積を拡大、縮小させ得るようになっている。
【００１９】
アクセスカバー４は、その一端部が上ケース２に回転自在に保持され、上面に形成される開口部を開閉し得るようになっており、このアクセスカバー４を開くことによって本体内部に収納されている記録ヘッドカートリッジ（不図示）あるいはインクタンク（不図示）等の交換が可能となる。なお、ここでは特に図示しないが、アクセスカバー４を開閉させると、その裏面に形成された突起がカバー開閉レバーを回転させるようになっており、そのレバーの回転位置をマイクロスイッチなどで検出することにより、アクセスカバー４の開閉状態を検出し得るようになっている。
【００２０】
また、上ケース２の後部上面には、電源キー９及びレジュームキー１０が押下可能に設けられるとともに、ＬＥＤ１１が設けられており、電源キーを押下すると、ＬＥＤ１１が点灯し印字可能状態であることをオペレータに知らせるものとなっている。また、ＬＥＤ１１は点滅の仕方や色の変化をさせたり、ブザー（不図示）を鳴らすことによりプリンタのトラブル等をオペレータに知らせる種々の表示機能を有する。なお、トラブル等が解決した場合には、レジュームキー１０を押下することによって印字が再開されるようになっている。
【００２１】
上ケース２の右手前には、調整ダイヤル１が設けられている。すなわち、図２に示すように、上ケース２の裏面には爪２ｂ及び２ｃ、また位置決めリブ２ｄ及び２ｅが設けられるので、該爪２ｂ、２ｃと位置決めリブ２ｄ、２ｅとの間にサブＰＣＢ１２を挟持することにより、ロータリースイッチ１３が搭載されたサブＰＣＢ１２は上ケース２の所定の位置に保持固定される。ここで、ロータリースイッチ１３の回転軸１３ａが上ケース２より適度な量で突き出されるので、該回転軸１３ａの先端部に調整ダイヤル１が圧入される。図３に示すように、サブＰＣＢ１２とメインＰＣＢ１４は不図示のケーブル等で接続されており、サブＰＣＢ１２からメインＰＣＢ１４に信号が伝送される。
【００２２】
また図１に示すとおり上ケース２の上面には指標２ａが設けられており、垂直が最大スピードで左水平になると最小スピードになることを示している。オペレータが調整ダイヤル１を回転せしめるとロータリースイッチ１３も回転し、前記指標２ａに対応した印字スピードで印字を行うことができる。通常、調整ダイヤル１の指針が垂直になるようにしておく。この状態では、記録装置の最大印字速度に設定されている。次にオペレータが調整ダイヤル１を反時計回りに回転すると徐々に印字スピードが落ち、左一杯まで回転させると印字が停止する。また、調整ダイヤル１を時計周りに回転すると徐々に印字スピードが速くなり、調整ダイヤル１が止まるまで回転せしめると、印字速度は最大になる（指標が垂直の状態）。
【００２３】
図４は本発明を実施した記録装置のフローチャートである。
【００２４】
電源を投入し、パソコンから印字データが転送されると印字が開始する。
【００２５】
オペレータが調整ダイヤル１を回転させなければ初期に設定した印字速度で印字が続けられる。オペレータが調整ダイヤル１を回転させると、その回転角度の変化量に応じた印字速度で印字する。ここで、印字スピードの変化量（加減速度範囲）はＣＲモータあるいはＬＦモータの不具合（脱調等）が起こらないように予め制限を決めておく。１行毎に調整ダイヤル１の回転角度の変化量を検知しながら印字を続け，この動作を繰り返し、所定の印字が完了する。
【００２６】
また、上記調整ダイヤル１の角度変化量を検知するタイミングは、ある所定の時間を決めてその時間毎に検知しても良いし、あるいは、エンコーダの１スリット分ごと、あるいはＣＲモータの１ステップ毎でも良い。
【００２７】
さらには、複数ページを印刷する場合は、ページ毎に検知しても良い。
【００２８】
【第２実施例】
上記実施例１においては、印字速度を変化させるためにオペレータが操作する部位をダイヤル形状にし、該ダイヤルを回転させるようにせしめた。
【００２９】
本発明はこれに限らず、図５に示すようにスライドレバー１４を設け、該スライドレバー１４を左右に移動させることにより印字速度を変化させるようにせしめても、前記実施例と同様の効果を得ることができる。スライドスイッチ（不図示）を搭載したサブＰＣＢ（（不図示）を前記実施例と同様の方法で上ケースの裏面に保持固定する。図５においては、スライドレバー１４を左方向に移動すると印字速度が遅くなり、右方向に移動すると印字速度は速くなる。ここでは、スライドレバー１４が右端で印字速度は最大になるように設定してある。
【００３０】
【第３実施例】
図６は実施例３における記録装置の斜視図であり、同図において１５は調整ダイヤル、１６はプッシュスイッチである。
【００３１】
調整ダイヤル１５とプッシュスイッチ１６は一体で構成され、いわゆる複合型スイッチである。調整ダイヤル１５は図中Ａ方向に回転自在に、プッシュスイッチ１６は図中Ｂ方向（上下）に移動可能に設けられている。調整ダイヤル１５の回転角度の変化及びプッシュスイッチ１６のＯＮ／ＯＦＦ状態を検知し、その信号をサブＰＣＢ１２を経由してメインＰＣＢに伝送する。
【００３２】
たとえば、図６のようにプッシュスイッチ１６が調整ダイヤル１５より突き出た状態をＯＦＦ、図７のようにプッシュスイッチ１６が調整ダイヤル１５に格納した状態をＯＮ状態とする。さらにＯＦＦ状態では印字しないモードに（インクを吐出させない）、ＯＮ状態では印字するモードに（インクを吐出させる）設定する。このような構成にすることにより、オペレータはキャリッジの動きを見ながら調整ダイヤル１５を回転させ、キャリッジスピードを変化させる。好みのスピードが決まったら、プッシュスイッチ１６を押下すると印字が始まる。図８は、このような本実施例の記録装置のフローチャートを示したものである。
【００３３】
上記構成によれば、印字スピードを途中で変更することがないので、画質を落とすことなく品質のよい印刷物を得られる（試し印字機能）。
【００３４】
【発明の効果】
以上説明したように、記録装置に印字スピード調整手段を設け、ある特定のタイミングで印字スピード調整手段の変位量を検知させ、その変化量に対応したＣＲモータ回転数を制御することにより、パソコン等から離れた場所においても画像等の劣化を抑えながらオペレータの好みの印字スピードを変化させることができる。
【図面の簡単な説明】
【図１】本発明を実施した代表的な記録装置の斜視図。
【図２】図１におけるＸ−Ｘ′断面図であり、サブＰＣＢを上ケースに取付けたところの平面図である。
【図３】本発明を実施した記録装置のブロック図である。
【図４】本発明を実施した記録装置の簡易印字フローチャートである。
【図５】実施例２における記録装置の斜視図である。
【図６】実施例３における記録装置の斜視図であり、試し印字ＯＮ状態を示す図である。
【図７】実施例３における記録装置の斜視図であり、試し印字ＯＦＦ状態を示す図である。
【図８】実施例３における記録装置の印字フローチャートである。
【符号の説明】
１  調整ダイヤル
２  上ケース
３  下ケース
４  アクセスカバー
５  排紙トレイ
６  補助トレイ
７  補助トレイ
８  自動給紙装置
９  電源キー
１０  レジュームキー
１１  ＬＥＤ
１２  紙間調整レバー
１３  ロータリースイッチ
１４  スライドレバー
１５  調整ダイヤル
１６  プッシュスイッチ
【図１】
2004155032.tif 000003
【図２】
2004155032.tif 000004
【図３】
2004155032.tif 000005
【図４】
2004155032.tif 000006
【図５】
2004155032.tif 000007
【図６】
2004155032.tif 000008
【図７】
2004155032.tif 000009
【図８】
2004155032.tif 000010